(57)【要約】      （修正有）【課題】打音は低く、又玉を入れる網袋には底部に破損防止を施してあるので、安心して打球や練習を楽しむ事が出来るゴルフ打球練習器具を提供する。【解決の手段】本ゴルフ打球練習器具は、ゴム紐の両端に、外れ止め付フックを固着してあり、その片方を重しである土台の中央に設けてある掛け具にかけ、あとの片方は打音の低い擬似玉を入た網目袋に掛け繋いで、ゴム紐が全張の位置に網目袋を置いて、ゴルフ、クラブで空中に打ち飛ばす。【選択図】図１
0003159689.tif 000002
【実用新案登録請求の範囲】
【請求項１】
本考案のゴルフ打球練習器具は、重しの土台とゴムや樹脂を固めて作ったゴルフの擬似玉を入れる網袋に又玉の飛びだしや網袋の破損の防止を施した網袋に入れてから長さ約５ｍのゴム紐の両端に外れ止めの付いたフックを固着して、その片方は重しの土台の中央部の掛け具に掛け、あとの片方は擬似玉を入れた網袋に掛け繋ぎ、重しの土台を縦長に置きゴム紐を全張の位置に網袋を置きゴルフ、クラブで空中に向けて打球するゴルフ打球練習器具であつて、  ・  ・  ・  ・  ・
前記のゴルフ打球練習器具は、重しの土台が平面視がカヌーボートの形をして、その中央部に設けてある掛け具にゴム紐の片方を掛け、あとの片方は玉を入れた網袋に掛け繋ぎ、ゴム紐を全張にして、その位置に玉の入った網袋を置き打球練習ができる又打ち上げた玉入り網袋はゴムの伸縮力により重しの土台の近辺に落下するので、少しの歩行で何回でも打球練習が出来る、又ゴム紐の長さは、目視で安全を確認した上でのゴム紐の長さを変える事は可能である、  ・  ・  ・
例、長さは１０ｍ〜１５ｍの長さの物と、取り替えても打球練習は出来る、又擬似玉は打球音も低く音の迷惑は少し解消の特徴あるゴルフ打球練習器具。
【考案の詳細な説明】
【技術分野】
【０００１】  本考案は、ゴルフ打球練習用器具に関するものである。
【背景技術】
【０００２】  従来は自宅の敷地内やベランダ等にゴルフ玉受け用の網を張りゴルフ打球をするが打球音などで近所や家族にも、迷惑をかける。
【考案の開示】
【考案が解決しようとする課題】
【０００３】  しかし乍、ゴルフ打球練習用具は他にも色々あるが屋外は色々な誓約があり、有料の打球練習場に行く外はない。
【課題の解決の手段】
【０００４】  本考案のゴルフ打球練習器具には打ち上げたゴルフ玉を、ゴム紐で空中から引き戻す工夫がしてあるので、河川や休耕地や海岸、雑木林、竹藪、に向けても安心してゴルフ打球の練習ができる。
【考案の効果】
【０００５】  上記を解決する為に打球用のゴルフ玉は、ゴムや樹脂で作っつた擬似玉であって、打音は低く、又擬似玉を入れる網袋には低部に、破損防止を施してあるので安心して打球や練習を、楽しむ事が出来る。
【最良の形態】
【０００６】  本考案のゴルフ打撃用練習器具は、重しの土台と擬似玉の入っている網目袋を、ゴム紐で繋いでから打球の練習をするので打ち上げた擬似玉はゴム紐の伸縮の力により重しの土台の近辺に戻り落下するので、少しあるくだけで健康にも良く、何度でも打撃の練習ができる。
【図面の簡単な説明】
【０００７】
【図１】擬似ゴルフ玉の打撃位置の１部破断、断面、平面図、
【図２】擬似ゴルフ玉の落下着地の１部破断、断面、斜視図、
【符号の説明】
【０００８】１、  重し用の土台、
２、  外れ止め付フック、掛け具、
３、  外れ止め付フック、
４、  伸縮、ゴム紐、
５、  ゴムや樹脂の擬似ゴルフ玉、
６、  網目の玉入れ用袋、
７、  破損、防止用ゴム、
８、  マジック、バンド、
９、  網目袋の入り口の締め付け紐、
【図１】
0003159689.tif 000003
【図２】
0003159689.tif 000004
【手続補正書】
【提出日】平成22年3月8日(2010.3.8)
【手続補正１】
【補正対象書類名】実用新案登録請求の範囲
【補正対象項目名】全文
【補正方法】変更
【補正の内容】
【実用新案登録請求の範囲】
【請求項１】
掛け具を有する重しとなる土台と、
ゴム又は樹脂で形成されたゴルフボールの擬似玉と、
その擬似玉を収納可能な大きさの袋状をなし、擬似玉が収納された状態で開口部が締め付け紐により締め付けられることにより、擬似玉が開口部から飛び出すことを阻止する玉入れ用袋と、
両端にそれぞれフックが一体的に設けられ、一方のフックにより前記土台の掛け具に連結され、他方のフックにより前記玉入れ用袋の締め付け紐に連結される伸縮性を有する所定長さのゴム紐と、
を備えたことを特徴とするゴルフ打球練習器具。
【手続補正２】
【補正対象書類名】明細書
【補正対象項目名】０００４
【補正方法】変更
【補正の内容】
【０００４】上記した課題を解決するために、本考案のゴルフ打球練習器具は、掛け具を有する重しとなる土台と、ゴム又は樹脂で形成されたゴルフボールの擬似玉と、その擬似玉を収納可能な大きさの袋状をなし、擬似玉が収納された状態で開口部が締め付け紐により締め付けられることにより、擬似玉が開口部から飛び出すことを阻止する網袋と、両端にそれぞれフックが一体的に設けられ、一方のフックにより前記土台の掛け具に連結され、他方のフックにより前記玉入れ用袋の締め付け紐に連結される伸縮性を有する所定長さのゴム紐と、を備えたことを特徴とする。
【手続補正３】
【補正対象書類名】明細書
【補正対象項目名】０００５
【補正方法】変更
【補正の内容】
【０００５】本考案のゴルフ打球練習器具では、ゴルフボールの擬似玉がゴム又は樹脂で形成されている。このため、ゴルフクラブによる打音が低くなり、近所等に迷惑をかけることを防止できる。また、擬似玉が玉入れ用袋及びゴム紐により土台に連結されている。このため、ゴルフクラブで打ち上げられた擬似玉がゴム紐の伸縮力により土台側へ戻って落下することが多くなるので、練習者は少し移動するだけで擬似玉のある所にたどり着くことができ、練習効率が上がる。
【手続補正４】
【補正対象書類名】明細書
【補正対象項目名】０００６
【補正方法】変更
【補正の内容】
【０００６】本考案のゴルフ打球練習器具は、カヌーボート状をなしその中央部に掛け具２が設けられた重しとなる土台１と、ゴム又は樹脂で形成されたゴルフボールの擬似玉５と、擬似玉５を収納可能な大きさの袋状をなし、擬似玉５が収納された状態で開口部が締め付け紐９により締め付けられることにより、擬似玉５が開口部から飛び出すことを阻止する網目状の玉入れ用袋６と、両端にそれぞれ外れ止め付フック３が一体的に設けられ、一方の外れ止め付フック３により土台１の掛け具２に連結され、他方の外れ止め付フック３により玉入れ用袋６の締め付け紐９に連結される伸縮性を有するゴム紐４とを備えている。ゴム紐４は、例えば５ｍの長さのものが用いられ、ゴルフ打球練習器具の設置場所に応じて、例えば１０ｍ〜１５ｍのものと取り替えることもでき、安全が確認できる範囲内で適宜の長さに変更することが可能である。玉入れ用袋６の底部には、破損防止用の補強ゴム７が一体的に設けられている。また、玉入れ用袋６の開口部は、締め付け紐９により締め付けられるとともに、マジックバンド８によっても締め付けられるようになっている。このゴルフ打球練習器具によれば、擬似玉５がゴム又は樹脂で形成されているので、ゴルフクラブによる打音が低くなり、近所等に迷惑をかけることを防止できる。また、擬似玉５が玉入れ用袋６及びゴム紐４により土台１に連結されているので、ゴルフクラブで打ち上げられた擬似玉５がゴム紐４の伸縮力により空中から引き戻されて土台側へ戻って落下することも多くなり、練習者は少し移動するだけで擬似玉５のある所にたどり着くことができ、練習効率が上がる。また、玉入れ用袋６の底部には、破損防止用の補強ゴム７が一体的に設けられているので、玉入れ用袋６の破損が良好に防止され、マジックバンド８及び締め付け紐９と相俟って擬似玉５が玉入れ用袋６から一層飛び出し難くなっており、練習者は安心して練習を続けることができる。
【手続補正５】
【補正対象書類名】明細書
【補正対象項目名】０００８
【補正方法】変更
【補正の内容】
【０００８】１  土台
２  掛け具
３  外れ止め付フック
４  ゴム紐
５  擬似玉
６  玉入れ用袋
７  補強ゴム
８  マジックバンド
９  締め付け紐